(57)【要約】      （修正有）【課題】使用済みペットボトルの回収の協力と、回収したペットボトルの再利用。【解決手段】ペットボトルを上部と下部の二分割にして、上部の飲料水飲み口のネジ部外径が、簡単に入る穴を設けた植木鉢受け皿に、ペットボトルに使用されていた蓋の天板部分に水抜き穴を設けて、締め付けナットとして使用し、植木鉢受け皿に締め付け固定する。二分割した下部については、底部に水抜き穴を大きい物であれば１個小穴であれば複数個設けて、簡易の植木鉢として使用すると共に、宣伝広告用としても活用できるように、ペットボトルの単面又は複数面に、ラベル又は熱収縮性ポリエステルフイルム等で、飾り付けることも出来る、簡易植木鉢の装置の構造。【選択図】なし【実用新案登録請求の範囲】
【請求項１】
図１のペットボトルを上部１と下部２とＡＢの線上で二分割とし、上部飲料水の飲み口３の雄ネジ部４を含む外径寸法が、ペットボトルに使用されていた図２での蓋１４（一部断面図）に、水抜き穴５を設けて用意し、図３の断面図の如く、植木鉢の受け皿６の中心部に、雄ネジ部４の外径寸法よりやや大きい水抜き穴７を設けて、植木鉢の受け皿６を伏せた状態で、上部飲料水の飲み口３の雄ネジ部４を挿入し、図２の水抜き穴５を設けた蓋１４を締め付けナット代わりに使用して、植木鉢の受け皿に、締め付け固定することを特徴とする、簡易植木鉢の構造。
【請求項２】
請求項１でペットボトルを二分割した図１の下部２の底部８に、図６の６−１の如く、上部１の飲料水の飲み口３の雄ネジ部４の外径寸法より、やや大きい水抜き穴９を設け、請求項１での二分割前のペットボトル１０に、砂利１１を適量と適当なる水肥を注入して重量を付け、簡単に転倒し難くして、下部２の水抜き穴９に雄ネジ部４を挿入し、図２の蓋１４を以って、締め付け固定すると共に、図４の如くに導水紐２４を挿入して、水肥の供給を特徴とする、簡易植木鉢の構造。
【請求項３】
請求項１でペットボトルを二分割した図１の下部２の底部８に、請求項２の水抜き穴９又は、図６の６−２の如くに、複数の小穴１３を設けて、水抜き穴とすることで、簡易植木鉢して使用することを目的とする、簡易植木鉢の構造。
【請求項４】
本考案によるペットボトルで、請求項１及び請求項２又、請求項３で使用されるペットボトルの単面或いは複数面に、化粧も兼ねて広告等のラベル等を貼って飾り付けたり、広告等が印刷された、熱収縮性ポリエステルフイルムを以って、ペットボトルに装着して宣伝効果も兼ね備えた、簡易植木鉢の構造。
【請求項５】
本考案によるペットボトルの簡易植木鉢に、花木等を植え付ける際に、ペットボトルが透明又はそれに近い透明色のものであれば、ペットボトルの内側に、広告用ラベルを挿入してから植樹してもよく、広告等が必要なければ、ペットボトルだけでもよく、この場合には植え込み状態に気を付けないと、美観に乏しさが見えることもあるが、安価に出来る効果がある、請求項１．２．３の簡易植木鉢の構造。
【考案の詳細な説明】
【技術分野】
【０００１】  本考案は、現在ペットボトルの使用が著しく多く、使用済みのペットボトルを回収するのも大変である。その回収に少しでも協力しようとすることにある。
【背景技術】
【０００２】  現在、使用されているペットボトルは、形状や大きさ等がばらばらで、本考案のなかで再利用したいものは、或る一定の形状及び大きさで、原形を留めている揃いのものが望ましく、蓋がついたものが好ましい。
【考案の開示】
【考案が解決しようとする課題】
【０００３】  使用済みペットボトルの回収に協力するために、出来る限り原形をとどめ、形状及び大きさの揃ったものが、本考案の加工がやり易い。ペットボトルの大きさにもよるが、小型の花木類を植樹するための、植木鉢代わりに利用するために、形や大きさを美形になる如くに、図１のペットボトル１０をカットすることにあり、ペットボトル１０に使用されていた蓋１４を、或る一部の物に締め付けナットとして使用するために、ペットボトル１０とは別に用意する。
【課題を解決するための手段】
【０００４】  ペットボトル１０で、１リットル用の物０．５リットル用の物０．３５リットル用等で角形や丸形等が或る中で、１リットル形と０．５リットル形については、図１の如くに美形となるよう約半分位の位置にて切断し、上部１及び下部２の二つに分割する。又、小型の０．３５リットルのペットボトルに付いては、図４のように、ペットボトル内に砂利１１及び水肥１２を挿入し、図４でのペットボトル１０の効果をだす。
【考案の効果】
【０００５】  ペットボトル１０での植木鉢は、一般市場ではまだ売買されていないと思われるが、個人がいろいろなアイデアを以って、花木の植木鉢として利用されている。しかし、この程度の消費では、使用済ペットボトルの回収にはほど遠い。以上のことから、本考案により使用済ペットボトル１０を使用して、簡易植木鉢に加工して、花木市場等にて消費することを目的とし、いま流行のガーデニングにも寄与する。
【考案を実施するための最良の形態】
【０００６】  本考案による使用済ペットボトル１０は、前記したような条件に適う物であって、形は原形を留めていれば、丸形又は角形のどちらでも、加工が可能であり使用できる。ペットボトル１０を切断するには、熱による溶断が有効で、切り口もまるくなり手触りもいい。この溶断には、図７のように直線の細いニクロム線に、電流を流がしてやればニクロム線は発熱し、ペットボトル１０の適当な位置に、発熱したニクロム線を軽く押し付けてやれば溶断することが出来る。
【実施例】
【０００７】  図１でペットボトル１０を二分割とした上部１の部分は、図３の如く植木鉢受け皿６のなかほどに、ペットボトル１０の上部飲料水飲み口３での、雄ネジ部４の外径寸法より少し大きめの穴７を設けて、雄ネジ部４を挿入して、図２での蓋１４（一部断面図）に、水抜き穴５を設けて締め付けナットとし、締め付け固定することで、台付きの簡易植木鉢が完成する。【０００８】  ペットボトル１０を二分割した下部２は、図５（断面図）の底部８を矢視図が図６に示したもので、６−１は底部８の中央に雄ネジ部４の外径寸法より少し大きめの穴９を設けたもので、６−２は底部８に複数の小穴１３を設けて、水抜き穴とすることで簡易植木鉢として使用出来る。【０００９】  図６の６−１のものは、図４の下部２に使用するものであるが、底部８の穴９の部分にネットを被せてやれば、移植を行っても土がこぼれることもなく、６−２のように単体の簡易植木鉢としても使用できる。【００１０】  図４での簡易植木鉢は、ペットボトル１０の高さだけ下部２の植木鉢を上げ、一段高い位置に飾り付けが出来るように配慮したもので、ペットボトル１０内の砂利１１及び水肥１２によって、転倒し難くするものであり、ペットボトル１０の下部２に花木を植樹して屋外に展示した時、天候が良い日には、乾燥が早くて水切れになり易い。【００１１】  このような時に、ペットボトル１０内の水肥が熱されて膨張し、ペットボトル１０の内圧が上昇するため、ペットボトル１０内に設けた布類で加工したロープ類又は、布地を束ねた導水紐２４を、ペットボトル１０内の砂利内から、ペットボトルの下部２をネジ締めしている蓋４を貫通して、下部２の底に這わせてやり、毛細管現象の発生を利用して、植樹した花木に水分を供給することで、水やりの手間を少なくする効果が期待できる。【００１２】  又、屋外に植樹した花木を置いたままにしていた時、天候が悪くなって長雨になった時には、ペットボトル１０内と下部２の簡易植木鉢に、雨水が溜まって満水となるため、下部２の底面８に図６の６−２の小穴１３を一個明けて置くことで、簡易植木鉢の余分な水は排出して、花木が水びたしになることはない。【００１３】  使用する前のペットボトルは、蓋１４と蓋の緩み止め１５がつながっているが、使用時に蓋１４を捻るとつながりが切れて、緩み止め１５はネジ部４の付け根に残るため、ペットボトル１０を二分割した下部２を、蓋１４にて締め付ける時に止め座の代用になる。【００１４】  本考案のペットボトルを再利用するために、そのペットボトルを溶断する簡単な溶断器で、一般家庭等で使用している１００ボルトの電源を用いて、ニクロム線を熱して溶断する。図７に示すように、溶断金具１６の両端部１７に熱に強い絶縁体１８を取り付け固定して、ニクロム線１９と配線コード２０とを取り付け、ネジ２１にて締め付ける。ニクロム線１９の熱の強弱をコントロールするために、電圧調整器２２を電気回路２３の中間に設けて、ペットボトル１０の溶断温度の調整を行う装置である。
【図面の簡単な説明】
【００１５】
【図１】本考案によるペットボトルの再利用加工する説明図。
【図２】ペットボトルに使用されていた蓋の再利用加工説明図。
【図３】本考案による再利用加工で完成した簡易植木鉢の完成断面説明図。
【図４】本考案による簡易植木鉢に植樹する花木等に自動的に水分補給する装置図。
【図５】本考案により二分割したペットボトルの下部断面説明図。
【図６】図５での下部底面の加工方法で６−１と６−２の底面説明図。
【図７】ペットボトルを溶断するための簡易溶断器具装置の説明図。
【符号の説明】
【００１６】  １  ペットボトルを二分割した上部
２  ペットボトルを二分割した下部
３  ペットボトル内の飲料水の飲み口
４  ペットボトルの蓋を締め付ける雄ネジ部
５  ペットボトルの蓋に設けた水抜き穴
６  植木鉢の受け皿
７  植木鉢の受け皿の中央部に設けた穴
８  本考案に使用するペットボトルの底部
９  ペットボトルの雄ネジ部を挿入するための穴
１０  本考案に使用するペットボトル
１１  ペットボトルに重量を付けるために挿入した砂利
１２  肥料を適量入れた水
１３  図５にある下部の底面に設けた水抜きの小穴
１４  ペットボトルに使用された蓋で締め付けナットとして利用
１５  ペットボトル蓋の緩み止め
１６  溶断金具
１７  溶断金具１６の両端部
１８  絶縁体
１９  ニクロム線
２０  配線コード
２１  取り付けネジ
２２  電圧調整器
２３  電気コード
２４  導水紐
Ａ  ペットボトルの二分割切断線
Ｂ  ペットボトルの二分割切断線
【図１】
0003106040.tif 000002
【図２】
0003106040.tif 000003
【図３】
0003106040.tif 000004
【図４】
0003106040.tif 000005
【図５】
0003106040.tif 000006
【図６】
0003106040.tif 000007
【図７】
0003106040.tif 000008
【手続補正書】
【提出日】平成16年6月22日(2004.6.22)
【手続補正１】
【補正対象書類名】明細書
【補正対象項目名】全文
【補正方法】変更
【補正の内容】
【考案の詳細な説明】
【技術分野】
【０００１】  本考案は、現在ペットボトルの使用が著しく多く、使用済みのペットボトルを回収するのも大変である。その回収に少しでも協力しようとすることにある。
【背景技術】
【０００２】  現在、使用されているペットボトルは、調味料や多くは飲料水等に用いられ、形状や大きさ等がばらばらで、使用済ペットボトルが各所に放置されていて、整理するのが大変である。
【考案の開示】
【考案が解決しようとする課題】
【０００３】  本考案は、使用済みペットボトルが氾濫する昨今、ペットボトルの回収に少しでも協力するために、ペットボトルを用いてある程度の加工をして、現在盛んになっているガーデニングでの、用具の一部に使用してもらうべき考案である。
【課題を解決するための手段】
【０００４】  本考案が目的としている点は、使用済みとなったペットボトルを回収し、一部の加工を施して、小型の花木類を植樹する簡易の植木鉢を設けようとするものである。本考案が必要とするペットボトルは、出来る限り原形をとどめ、形状及び大きさの揃ったものが望ましく、そして蓋がペットボトルに付いているものが好ましい。その蓋の天板部にペットボトルの飲み口の内径寸法程度の丸穴を設けて、水抜き穴として、ペットボトルの締め付けナットとして用意する。【０００５】  本考案の加工に必要なペットボトルは、上述したように美形にカットできる形状のものであって、ペットボトルの大きさは、１リットル用の物０．５リットル用の物０．３５リットル用等で角形や丸形等が或る中で、１リットル形と０．５リットル形については、ペットボトルの飲み口に向かって、テーパーとなる肩口までの太い部分の中間部で二分割して、上部と下部とにペットボトルを分割する。【０００６】  二分割されたペットボトルの上部は、植木鉢の受け皿を用意してその中心部に、飲料水飲み口の雄ネジ部の外径寸法より、やや大きめの丸穴を設けて、植木鉢の受け皿を伏せた状態で、ペットボトル上部の雄ネジ部を挿入し、締め付けナット代わりに用意した、蓋を以って締め付け固定すれば、風変わりな簡易植木鉢ができる。【０００７】  二分割したペットボトルの下部については、底の中心部に、上述した植木鉢の受け皿に設けた丸穴と同じ穴を設けて用意する。そして、何の加工も施してないペットボトルを用意して、中に砂利及び水肥を適量注入して、重量をつけて転倒し難くし、下部の底部に穴を設けて用意した、ペットボトルの下部を、ペットボトルのネジ部に挿入し、上述したナット代わりの蓋を以って締め付け固定すると共に、導水紐を砂利部から締め付けナットの蓋を貫通し、ペットボトルの下部底面に、よこたえた状態で設置させて、植樹した花木類に水肥を供給する。【０００８】  二分割したペットボトルの下部だけで、植木鉢として使用する時は、上述したように下部底面に、ペットボトルのネジ外径寸法程度の、丸穴が設けてあるものについては、その穴にネットを被せて使用すれば用土がこぼれない。又、下部底面に何の加工もしてないものは、５ミリ前後の丸穴を複数個設けて、水抜き穴とすることで安価な植木鉢が出来る。
【考案の効果】
【０００９】  図面を以って説明すると、ペットボトル１０での植木鉢は、一般市場ではまだ売買されていない。個人がいろいろなアイデアを以って、花木類の植木鉢として利用されている。しかし、この程度の消費では、使用済ペットボトルの回収にはほど遠い。以上のことから、本考案により使用済ペットボトル１０を使用して、簡易植木鉢に加工することで、花木市場等にて消費することを目的とし、いま流行のガーデニングにも寄与する。
【考案を実施するための最良の形態】
【００１０】  本考案による使用済ペットボトル１０は、上述したような条件に適う物であって、形は原形を留めていれば、丸形又は角形のどちらでも、加工が可能であり使用できる。ペットボトル１０を切断するには、熱による溶断が有効で、切り口もまるくなり手触りもいい。この溶断には、図７のように直線で細いニクロム線に、電流を流がしてやればニクロム線は発熱し、ペットボトル１０の適当な位置で、発熱したニクロム線を軽く押し付けてやれば溶断することが出来る。ナット代りに利用する蓋及び下部の、穴明けについては、金型に熱を加えて押し圧することで、早く加工することができる。
【実施例】
【００１１】  図１でペットボトル１０を二分割とした上部１は、図３の如く植木鉢受け皿６の中心部に、ペットボトル１０の上部飲料水飲み口３での、雄ネジ部４の外径寸法より少し大きめの穴７を設けて、雄ネジ部４を挿入して、図２での蓋１４（一部断面図）に、水抜き穴５を設けて締め付けナットとし、締め付け固定することで、台付きの簡易植木鉢が完成する。【００１２】  ペットボトル１０を二分割した下部２は、図５（断面図）の底部８を矢視図が図６に示したもので、６−１は底部８の中央に雄ネジ部４の外径寸法より少し大きめの穴９を設けたもので、６−２は底部８に複数の小穴１３を設けて、水抜き穴とすることで簡易植木鉢として、安価で花木の植樹に使用出来る。【００１３】  図６の６−１のものは、図４の下部２に使用するものであるが、底部８の穴９の部分にネットを被せてやれば、移植を行っても土がこぼれることもなく、６−２のように単体の簡易植木鉢としても使用出来る。【００１４】  図４での簡易植木鉢は、ペットボトル１０の高さだけ下部２の植木鉢を上げ、一段高い位置に飾り付けが出来るように配慮したもので、ペットボトル１０内の砂利１１及び水肥１２によって、転倒し難くするものであり、ペットボトル１０の下部２に花木類を植樹して屋外に展示した時、天候が良い日には、乾燥が早くて水切れになり易い。【００１５】  このような時に、ペットボトル１０内の水肥が熱されて膨張し、ペットボトル１０の内圧が上昇するため、ペットボトル１０内に設けた布類で加工したロープ類又は、布地を束ねた導水紐２４を、ペットボトル１０内の砂利内から、ペットボトルの下部２をネジ締めしている蓋４を貫通して、下部２の底に這わせてやり、毛細管現象の発生を利用して、植樹した花木類に水分を供給することで、水やりの手間を少なくする効果が期待できる。【００１６】  又、屋外に植樹した花木を置いたままにしていた時、天候が悪くなって長雨になった時には、ペットボトル１０内と下部２の簡易植木鉢に、雨水が溜まって満水となるため、下部２の底面８に図６の６−２の小穴１３を一個明けて置くことで、簡易植木鉢の余分な水は排出して、花木が水びたしになることはない。【００１７】  使用する前のペットボトルは、蓋１４と蓋の緩み止め１５がつながっているが、使用時に蓋１４を捻るとつながりが切れて、緩み止め１５はネジ部４の付け根に残るため、ペットボトル１０を二分割した下部２を、蓋１４にて締め付ける時に止め座の代用になる。【００１８】  本考案のペットボトルを再利用するために、そのペットボトルを溶断する簡単な溶断器で、一般家庭等で使用している１００ボルトの電源を用いて、ニクロム線を熱して溶断する。図７に示すように、溶断金具１６の両端部１７に熱に強い絶縁体１８を取り付け固定して、ニクロム線１９と配線コード２０とを取り付け、ネジ２１にて締め付ける。ニクロム線１９の熱の強弱をコントロールするために、電圧調整器２２を電気回路２３の中間に設けて、ペットボトル１０の溶断温度の調整を行う装置で、簡単なペットボトル溶断器である。
【図面の簡単な説明】
【００１９】
【図１】本考案によるペットボトルの再利用加工する説明図。
【図２】ペットボトルに使用されていた蓋の再利用加工説明図。
【図３】本考案による再利用加工で完成する簡易植木鉢の組立て前断面説明図。
【図４】本考案による簡易植木鉢に植樹する花木等に自動的に水分補給する装置図。
【図５】本考案により二分割したペットボトルの下部断面説明図。
【図６】図５での下部底面の加工方法で６−１と６−２の底面説明図。
【図７】ペットボトルを溶断するための簡易溶断器具装置の説明図。
【符号の説明】
【００２０】  １  ペットボトルを二分割した上部  ２  ペットボトルを二分割した下部  ３  ペットボトル内の飲料水の飲み口  ４  ペットボトルの蓋を締め付ける雄ネジ部  ５  ペットボトルの蓋に設けた水抜き穴  ６  植木鉢の受け皿  ７  植木鉢の受け皿の中央部に設けた穴  ８  本考案に使用するペットボトルの底部  ９  ペットボトルの雄ネジ部を挿入するための穴１０  本考案に使用するペットボトル１１  ペットボトルに重量を付けるために挿入した砂利１２  肥料を適量入れた水１３  図５にある下部の底面に設けた水抜きの小穴１４  ペットボトルに使用された蓋で締め付けナットとして利用１５  ペットボトル蓋の緩み止め１６  溶断金具１７  溶断金具１６の両端部１８  絶縁体１９  ニクロム線２０  配線コード２１  取り付けネジ２２  電圧調整器２３  電気コード２４  導水紐  Ａ  ペットボトルの二分割切断線  Ｂ  ペットボトルの二分割切断線
【手続補正２】
【補正対象書類名】実用新案登録請求の範囲
【補正対象項目名】請求項１
【補正方法】変更
【補正の内容】
【請求項１】
ペットボトルを上部と下部とに、ペットボトルの飲み口に向かって、テーパーと成る肩口までの太い部分での中程で二分割とし、ペットボトルに使用されていた蓋に、上部の飲料水飲み口の雄ネジ部での内径程度の寸法で水抜き穴を設けて用意し、植木鉢の受け皿を用意してその中心部に、上部雄ネジ部の外径寸法よりやや大きい穴を設けて、植木鉢の受け皿を伏せた状態で、上部飲料水飲み口の雄ネジ部を挿入し、水抜き穴を設けて用意した蓋を、締め付けナット代わりに使用して、植木鉢の受け皿に、締め付け固定することを特徴とする、簡易植木鉢の構造。
【手続補正３】
【補正対象書類名】実用新案登録請求の範囲
【補正対象項目名】請求項２
【補正方法】変更
【補正の内容】
【請求項２】
上記で、ペットボトルを二分割した下部の底部中心に、上部の飲料水飲み口の雄ネジ部の外径寸法より、やや大きい寸法で穴を明けて用意し、何の加工も加えてないペットボトルに、砂利を適量と適当なる水肥を注入して重量を付け、簡単に転倒し難くして、穴を設けて用意した下部の底部中心穴に雄ネジ部を挿入し、水抜き穴を設けた蓋を以って、締め付け固定すると共に、導水紐をペットボトル内の砂利部から、ナット代わりに使用した蓋を貫通して、ペットボトルに締め付け固定された下部の底面に、よこたえた状態で設置して、水肥の供給を植樹した花木に与えることを特徴とする、簡易植木鉢の構造。
【手続補正４】
【補正対象書類名】実用新案登録請求の範囲
【補正対象項目名】請求項３
【補正方法】変更
【補正の内容】
【請求項３】
ペットボトルを二分割した下部の底部中心に、上記での飲料水飲み口の雄ネジ部外径寸法で、設けた大きい穴にはネットを被せて、植木鉢用の用土がこぼれないようにする。又大きい穴を設けてない下部の底部については、５ミリ前後の穴を複数個設けて水抜き穴とし、安価な植木鉢として使用することを目的とする、簡易植木鉢の構造。
【手続補正５】
【補正対象書類名】図面
【補正対象項目名】図３
【補正方法】変更
【補正の内容】
【図３】
0003106040.tif 000009
【手続補正６】
【補正対象書類名】図面
【補正対象項目名】図４
【補正方法】変更
【補正の内容】
【図４】
0003106040.tif 000010